【手続補正書】
【提出日】平成19年5月30日(2007.5.30)
【手続補正１】
【補正対象書類名】特許請求の範囲
【補正対象項目名】全文
【補正方法】変更
【補正の内容】
【特許請求の範囲】
【請求項１】
記録媒体に記録された情報を再生する再生手段と、
所定の操作を任意に入力する操作手段と、
前記情報の再生中に前記操作手段により入力された所定の操作に応じて、前記再生手段を制御するイベント処理を実行するイベント制御手段と、を備え、
前記イベント制御手段は、前記情報の再生速度に従って前記記録媒体に記録された複数の映像データの再生方法を記述した前記イベント処理の内容を切り替えることを特徴とする情報再生装置。
【請求項２】
前記イベント制御手段の処理内容を決定するためのイベント制御情報を取得するイベント情報取得手段を更に備え、
前記イベント制御手段は、前記イベント情報取得手段により取得したイベント制御情報に基づいて前記イベント処理の内容を決定することを特徴とする請求項１に記載の情報再生装置。
【請求項３】
前記再生手段により再生される情報は映像データであり、
前記イベント制御手段は更に、前記記録媒体に記録された複数の映像データの再生方法を記述した再生手順データに基づいて複数の映像データの再生を行うよう前記再生手段を制御し、
前記イベント制御情報は、前記再生手順データの一部として記録されていることを特徴とする請求項２に記載の情報再生装置。
【請求項４】
前記再生手段により再生される情報は映像データであり、
前記イベント処理とは、第１の映像データの再生中に前記操作手段により入力された操作に応じて第２の映像データを再生する処理であることを特徴とする請求項１に記載の情報再生装置。
【請求項５】
前記イベント制御手段は、通常再生速度で前記映像データを再生する場合には、前記第１の映像データの再生後、前記操作手段により入力された所定の操作に応じて第２の映像データを再生し、前記通常再生速度よりも速い速度で前記映像データを再生する場合には、前記第１の映像データの再生後、前記所定の操作の入力を待たずに前記第２の映像データを再生するよう前記再生手段を制御することを特徴とする請求項４に記載の情報再生装置。
【請求項６】
前記イベント制御手段は、通常再生速度で前記映像データを再生する場合には、前記第１の映像データの再生後、前記操作手段により入力された所定の操作に応じて第２の映像データを再生し、前記通常再生速度よりも速い速度で前記映像データを再生する場合、前記イベント処理の実行履歴を示す履歴情報に基づき、前記所定の操作の入力後に前記第２の映像データを再生するか否かを決定することを特徴とする請求項４に記載の情報再生装置。
【請求項７】
前記記録媒体から再生される情報は映像データを含み、前記イベント処理とは、第１の映像データの再生中に、前記操作手段の操作により複数の前記映像データから次に再生すべき第２の映像データが選択されたことに応じて前記選択された第２の映像データを再生する処理であることを特徴とする請求項１に記載の情報再生装置。
【請求項８】
前記イベント制御手段は、通常再生速度で前記映像データを再生する場合には、前記操作手段により選択された映像データを前記第２の映像データとして再生し、前記通常再生速度よりも速い速度で前記映像データを再生する場合には、前記複数の映像データのうちの所定の映像データを前記第２の映像データとして再生するよう前記再生手段を制御することを特徴とする請求項７に記載の情報再生装置。
【請求項９】
前記イベント制御手段は、通常再生速度で前記映像データを再生する場合には、前記操作手段により選択された映像データを前記第２の映像データとして再生し、前記通常再生速度よりも速い速度で再生する場合には、前記複数の映像データ以外の所定の映像データを前記第２の映像データとして再生するよう前記再生手段を制御することを特徴とする請求項７に記載の情報再生装置。
【請求項１０】
前記イベント制御手段は、前記映像データを前記通常再生速度よりも速い速度で再生する場合、前記イベント処理時の選択履歴を示す履歴情報に基づいて、前記所定の映像データを決定することを特徴とする請求項７乃至９のいずれか１項に記載の情報再生装置。
【請求項１１】
記録媒体から映像データを再生する再生手段と、
所定の操作を任意に入力する操作入力手段と、
前記所定の操作に応じたイベント処理を含む複数の前記映像データの再生手順を示す再生手順データに従い、前記再生手段の再生動作を制御する制御手段と、
前記制御手段が、前記再生手順データに従い前記映像データを通常再生速度で再生すると共に前記操作入力手段による所定の操作に応じて前記イベント処理を実行する通常再生モードと、前記再生手順データに従い前記映像データを前記通常再生速度よりも高速に再生すると共に所定の手順で前記イベント処理を実行する高速再生モードとを設定するモード設定手段とを備えることを特徴とする再生装置。
【請求項１２】
前記イベント処理は前記再生手順データに従って第１の映像データを再生し、その後第２の映像データを再生する処理を含むことを特徴とする請求項１１に記載の再生装置。
【請求項１３】
前記制御手段は、前記通常再生モードにおいては、前記第１の映像データの再生中に前記操作入力手段による所定の操作がなされたことに応じて前記第２の映像データを再生し、前記高速再生モードにおいては、前記第１の映像データを再生した後前記操作入力手段による所定の操作を待つことなく前記第２の映像データを再生するよう前記再生手段を制御することを特徴とする請求項１２に記載の再生装置。
【請求項１４】
前記イベント処理は前記再生手順データに従って第１の映像データを再生し、その後選択可能な複数の前記映像データのうちの何れかを選択して再生する処理を含むことを特徴とする請求項１１に記載の再生装置。
【請求項１５】
前記制御手段は、前記通常再生モードにおいては、前記第１の映像データの再生中に前記操作入力手段により前記複数の映像データのうちの何れかが選択されたことに応じて前記選択された映像データを再生し、前記高速再生モードにおいては、前記第１の映像データを再生した後前記操作入力手段による前記映像データの選択操作を待つことなく所定の映像データを再生するよう前記再生手段を制御することを特徴とする請求項１４に記載の再生装置。
【請求項１６】
記録媒体に記録された情報を再生する再生手段と、
所定の操作を任意に入力する操作手段と、
前記情報の再生中に前記操作手段により入力された所定の操作に応じて、前記再生手段を制御するイベント処理を実行するイベント制御手段とを備える情報再生装置の制御方法であって、
前記情報の再生速度に従って前記記録媒体に記録された複数の映像データの再生方法を記述した前記イベント処理の内容を切り替える工程を有することを特徴とする方法。
【請求項１７】
記録媒体から映像データを再生する再生手段と、
所定の操作を任意に入力する操作入力手段と、
前記所定の操作に応じたイベント処理を含む複数の前記映像データの再生手順を示す再生手順データに従い、前記再生手段の再生動作を制御する制御手段とを備える再生装置の制御方法であって、
前記再生手順データに従い前記映像データを通常再生速度で再生すると共に前記操作入力手段による所定の操作に応じて前記イベント処理を実行する通常再生モードと、前記再生手順データに従い前記映像データを前記通常再生速度よりも高速に再生すると共に所定の手順で前記イベント処理を実行する高速再生モードとを設定する工程を有することを特徴とする方法。
【手続補正２】
【補正対象書類名】明細書
【補正対象項目名】発明の名称
【補正方法】変更
【補正の内容】
【発明の名称】情報再生装置、再生装置及びそれらの制御方法
【手続補正３】
【補正対象書類名】明細書
【補正対象項目名】００１０
【補正方法】変更
【補正の内容】
【００１０】
上述した問題を解決し、目的を達成するために、本発明の情報再生装置は、記録媒体に記録された情報を再生する再生手段と、所定の操作を任意に入力する操作手段と、前記情報の再生中に前記操作手段により入力された所定の操作に応じて、前記再生手段を制御するイベント処理を実行するイベント制御手段と、を備え、前記イベント制御手段は、前記情報の再生速度に従って前記記録媒体に記録された複数の映像データの再生方法を記述した前記イベント処理の内容を切り替える。
【手続補正４】
【補正対象書類名】明細書
【補正対象項目名】００１１
【補正方法】変更
【補正の内容】
【００１１】
また、本発明の再生装置は、記録媒体から映像データを再生する再生手段と、所定の操作を任意に入力する操作入力手段と、前記所定の操作に応じたイベント処理を含む複数の前記映像データの再生手順を示す再生手順データに従い、前記再生手段の再生動作を制御する制御手段と、前記制御手段が、前記再生手順データに従い前記映像データを通常再生速度で再生すると共に前記操作入力手段による所定の操作に応じて前記イベント処理を実行する通常再生モードと、前記再生手順データに従い前記映像データを前記通常再生速度よりも高速に再生すると共に所定の手順で前記イベント処理を実行する高速再生モードとを設定するモード設定手段とを備える。
【手続補正５】
【補正対象書類名】明細書
【補正対象項目名】００１２
【補正方法】変更
【補正の内容】
【００１２】
また、本発明の情報再生装置の制御方法は、記録媒体に記録された情報を再生する再生手段と、所定の操作を任意に入力する操作手段と、前記情報の再生中に前記操作手段により入力された所定の操作に応じて、前記再生手段を制御するイベント処理を実行するイベント制御手段とを備える情報再生装置の制御方法であって、前記情報の再生速度に従って前記記録媒体に記録された複数の映像データの再生方法を記述した前記イベント処理の内容を切り替える工程を有する。
【手続補正６】
【補正対象書類名】明細書
【補正対象項目名】００１３
【補正方法】変更
【補正の内容】
【００１３】
また、本発明の情報再生装置の制御方法は、記録媒体から映像データを再生する再生手段と、所定の操作を任意に入力する操作入力手段と、前記所定の操作に応じたイベント処理を含む複数の前記映像データの再生手順を示す再生手順データに従い、前記再生手段の再生動作を制御する制御手段とを備える再生装置の制御方法であって、前記再生手順データに従い前記映像データを通常再生速度で再生すると共に前記操作入力手段による所定の操作に応じて前記イベント処理を実行する通常再生モードと、前記再生手順データに従い前記映像データを前記通常再生速度よりも高速に再生すると共に所定の手順で前記イベント処理を実行する高速再生モードとを設定する工程を有する。